(57)【要約】      （修正有）【課題】家庭用、携帯用として利用出来、家庭用としてストロー径内は洗浄が出来、携帯用としては野外にてボトル内に収納が出来るので持忘れ等もなく女性、子供等に便利なストローを提供する。【解決手段】上部と下部とに構成され、その下部の適宜な位置にフロート部が架設されフロートの作用により容器戸首より、ストローヘッド部が突出し容器径口に限定されることなく、ボトムのストロートップが浮きだして使用時には上部ストロー部を伸びでる構造のストロー。【選択図】図３
2009106718.tif 000002
【特許請求の範囲】
【請求項１】
飲料用のストローであり、容器の形、材質、口径に限定されることがなく、キャップ開成と同時にストロートップ部が伸び上りさらに任意の長さまで引伸るフロート作用を利用したストロー
【請求項２】
上記請求項１のフロート部は様々な形状、又はキャラクターグッズ等にて色彩、ファッション性にて構成されることが可能なストロー
【発明の詳細な説明】
【技術分野】
【０００１】本発明は飲料容器に使用するストロー構造に係り、詳しくはボトルキャップ開成にともない容器戸首より、ストローヘッド部が突出し容器径口に限定されることなく、自由自在に使用可能な構造に関するものである。
【背景技術】
【０００２】従来のボトル及び缶形の飲料容器は口をそえて使用をしており子供等は容器を上にあげるため上手に内容物を飲めなかったり女性等は口紅の付着等に苦慮し、又美観上のエチケット等の難点がありそのため、コップ、ストロー等が必要であるが、不特定の場所や、不意の場所には携帯が困難であって、不便を余儀なく、特に時、所、場合により困る場合が多々ある。
【発明の開示】
【発明が解決しようとする課題】
【０００３】従来、ボトルは戸首部に口受けにて飲料するのが一般的であるが会議会場や人目の多い所では紙コップ等の用意が必要であり会場等の運営の準備も忙がしく、マナー上の門題意識からも野外等の使用にも抵抗があり、特に成人女性は口紅の化粧直しが発生し、更に見た目にも悪く品性さえも門われる事象もあり工夫の配慮が必要であると同時に改善が望まれる。【０００４】また、従来のボトル使用のストローは伸縮を目的としてスプリング形態の製品があるが、国内、国外のボトルに対応が不能であり、ボトル内蔵の携帯として満足な機能を果さず不都合である【０００５】本発明はこうした従来の門題を解決し、多種のボトル戸首径及び金属容器のボトル形にも左右されず使用可能なストローを提供することを目的とする。
【発明が解決するための手段】
【０００６】係る目的を達成するために、本発明のうち請求項１記載の発明はボトルのキャップ開成にともない、ストローボトムが伸びあがり、さらに任意の長さにてストローボトム部が引伸びる構成を採用した。
【０００７】この様にボトル５００Ｍｌ、２５０Ｍｌ用にボトルの総長に関係することなくキャップ閉成時はストローは沈み、開成時には伸上る作用がありさらに二段式の伸縮ストローを特微とした。
【発明の効果】
【０００８】本発明は上下にスライド機能を有しており、携帯用として野外にもボトル内に収納出来るので多目的に使用が出来る
さらに日用品としても洗浄が有効であり、ファシシヨン性も兼備している。
【発明を実施するための最良の形態】
【０００９】前記ストローはフロート部位が球形及び様々な形を有することが出来きるので本体ストロー部に固着する仕様で構成されており、さらに様々な形態にて工夫が必要である。
【実施例】
【００１０】以下、本発明の実施の形態を図面に基づいて詳細に説明する
図１は本発明に係る正面図、平面図、分解図である
図２はストローの作用図であり、図３はボトル内の作用図である。【００１１】図１においてＡ−１は上部ストロー本体であり、Ａ−２は噛合部でありＢ−１ストロー本体との接合部で最端部は凸状の扇に径管を拡大したものである。
そのＡ−１とＢ−１とを合体して一対のストロー構成される【００１２】次に図１のＢ−１は本発明に係る下部ストロー部位であり、詳しく説明するとＢ−２は管径に凹状を設け上部Ａ−１のストローが最大伸をなす時点にて上部Ａ−１の噛合部が安定装着の作用を達成するための凹部である
また、Ｂ−３はフロート部Ｃ−１のＣ−３との固着用の凹である【００１３】上記図−１のＣ−１は球形フロートに内部管Ｃ−２を仕切として設置しその中央にはＣ−３の凸を形整しＢ−３との固着を用いる
また、そのＣ−１のフロート部は球形であるが、様々な形が可能であり頭にかぶる面を模倣したもので、サック状の管に平面立位のフロートもデザイン的に可能でる。【００１４】次に図１の下部ストローＢ−５は上部Ａ−１の本体が下方まで落下しないための凸部であり、この凸部の高低によりＡ−１のボトム部の伸率が調整されまた、Ｂ−１下部ストローの総長によって、２５０Ｍｌ、５００Ｍｌの利用が出来る【００１５】上記図−１の下部ストローＢ−２及びＢ−３はストロー径管に凹部を備えたものでＢ−２は上部ストローＡ−１の噛合連結の作用であり、Ｂ−３はＣ−１フロートの納り連合の凹である。【００１６】図２は前記ストローの作用図であり（イ）は使用前の姿を示し（ロ）は使用時の姿を示す作用図である。【００１７】図３は前記作用図であり、仮にボトルに内蔵したストローの段階的な説明作用であり（イ）はキャップ閉成時であり、（ロ）はキャップ開成時であり、（ハ）は使用時の作用説明したものである。【００１８】また、図１のＣ−１のフロート部はファシション性の意図的な用途からアニメキャラクター、及び様々な造形が考えられ、本発明のフロート作用をなす主体部であり、図４の模倣を参照した。【００１９】以上、本発明の実施の形態について説明を行ったが、本発明はこうした実施の形態に何等限定されるものではなく、あくまでも例示であって材質、材量は勿論のこと形状、製造工法に左右されることなく本発明の要旨を逸脱しない範囲内において、さらに種々なる形態で実施得ることは必然のことであり、本発明の範囲は、特許請求の範囲の記載によって示され、さらに特許請求の範囲の記載の均等の意味及び範囲内の全ての変更を含む。
【産業上の利用可能性】
【００２０】本発明に係るストローは家庭用として、また携帯用としての利用価値があり家庭用としては、ストロー径内を洗浄することで、マイストローが考えられまた、フロート部はデザイン性を有するため玩具としても利用されさらにボトル型の飲料物に収納されるため携帯用として外野使用も便利で適用できる。
【図面の簡単な説明】
【００２１】
【図１】  本発明に係るストローの構造を用いたストローの正面図及び側面図である。
【図１】  本発明に係るストローの分解詳細図である。
【図２】  本発明に係るストローの一実施例で（イ）は使用前の納り図で（ロ）は使用時の作用図である。
【図３】  本発明に係るストローのボトル内の作用図であり（イ）は収納時、（ロ）はキャップ開成時、（ハ）は使用時である。
【図４】  本発明に係るストローのフロート部の模倣図である。
【符号の説明】
Ａ−１‥‥‥上部ストロー管
Ａ−２‥‥‥凸部位
Ｂ−１‥‥‥下部ストロー管
Ｂ−２‥‥‥凹部位
Ｂ−３‥‥‥球形（フロート）部凸部
Ｂ−４‥‥‥搾り管径
Ｂ−５‥‥‥ストッパー凸部
Ｃ−１‥‥‥球形フロート
Ｃ−２‥‥‥球形フロート内部仕切径
Ｃ−３‥‥‥仕切径内凹部
【図１】
2009106718.tif 000003
【図２】
2009106718.tif 000004
【図３】
2009106718.tif 000005
【図４】
2009106718.tif 000006